(57)【要約】【課題】  画像記録部に向けて一旦搬送された用紙を、給紙トレイに戻す機能を有する画像記録装置において、戻されてきた用紙がリヤガイドを乗り越えて給紙トレイから飛び出すことを防止する。【解決手段】  給紙トレイ５の後端に設けられたリヤガイド５ｂの壁面５ａに突起部５ｃを設け、かつ、その突起部５ｃの下方側の面５ｅを略水平とし、上方側の面５ｄを突起部５ｃの根元側から先端側に向かうほど下方側に下がるように傾斜させる。これにより、突起部５ｃの下方側の面５ｅがストッパとして機能し、上方側に移動した用紙Ｐは、上方側の面５ｄに沿って滑るようにして下方側に移動する。したがって、給紙トレイ５に戻されてきた用紙Ｐがリヤガイド５ｂを乗り越えて給紙トレイ５から飛び出してしまうことを未然に防止できる。【選択図】  図１６
2007119233.tif 000002
【特許請求の範囲】
【請求項１】
被記録媒体に画像を記録する画像記録部と、
前記画像記録部に供給される被記録媒体が載置される載置部と、
前記載置部に載置された被記録媒体を前記画像記録部に搬送するとともに、前記載置部から前記画像記録部に向けて既に搬送された被記録媒体を前記載置部に逆搬送可能な給送手段と、
前記載置部の後端側に設けられ、被記録媒体の端部位置を規制する壁面を有するリヤガイドとを備え、
前記壁面には、略水平方向に突出した突起部が設けられており、
さらに、前記突起部のうち上方側の面は、前記突起部の根元側から先端側に向かうほど下方側に下がるように傾斜し、一方、前記突起部のうち下方側の面は、略水平又は前記突起部の先端側から根元側に向かうほど上方側に上がるように傾斜していることを特徴とする画像記録装置。
【請求項２】
前記突起部は、前記リヤガイドのうち、少なくとも上端側に設けられていることを特徴とする請求項１に記載の画像記録装置。
【請求項３】
前記突起部は、先端側に向かうほど断面積が縮小するような形状であることを特徴とする請求項１又は２に記載の画像記録装置。
【請求項４】
前記突起部は、前記リヤガイドの上端側から下端側の間に複数個設けられていることを特徴とする請求項１ないし３のいずれか１つに記載の画像記録装置。
【発明の詳細な説明】
【技術分野】
【０００１】
本発明は、画像記録装置に関するもので、特に、インクジェット記録装置に適用して有効である。
【背景技術】
【０００２】
一般的な画像記録装置においては、給紙トレイに載置された多数枚のカットシート（用紙）を１枚ずつ画像記録部に分離搬送することにより、１枚ずつ画像を記録している。
そして、例えば特許文献１に記載の発明では、先に画像記録部に搬送された用紙と、その後に続いて搬送された用紙との間隔を、高画質記録時とテキストデータ記録時とで相違させるとともに、次の用紙に記録すべき画像データがない場合であっても、画像記録部に向けて用紙を搬送した状態で搬送動作を一旦終了し、その後、一定時間、その搬送した用紙に対して画像記録が実行されなかったときに、その搬送済みの用紙を給紙トレイ側に戻すようにしている。
【特許文献１】特開２００２−２８３６３７号公報
【発明の開示】
【発明が解決しようとする課題】
【０００３】
ところで、給紙トレイは、通常、開放された空間であるので、搬送済みの用紙を給紙トレイ側に戻す際の搬送抵抗は、給紙トレイから画像記録部に用紙を搬送する際の搬送抵抗に比べて小さい。したがって、画像記録部から給紙トレイに戻されてくる用紙の搬送速度は、給紙トレイから画像記録部に搬送される際の搬送速度に比べて大きくなってしまう。
【０００４】
このため、給紙ローラ等の給送手段を逆転させて搬送済みの用紙を給紙トレイ側に戻すと、戻されてきた用紙が、給紙トレイの後端側に設けられたリヤガイドを乗り越えて給紙トレイから飛び出してしまうおそれが非常に高くなる。そして、戻されてきた用紙がリヤガイドを乗り越えて給紙トレイから飛び出してしまうと、次回、用紙を画像記録部に給紙搬送する際に、その飛び出した用紙を画像記録部に給紙搬送することができなくなってしまうという問題が発生する。
【０００５】
本発明は、上記点に鑑み、画像記録部に向けて一旦搬送された用紙等の被記録媒体を、給紙トレイ等の載置部に戻す機能を有する画像記録装置において、戻されてきた被記録媒体がリヤガイドを乗り越えて載置部から飛び出すことを防止することを目的とする。
【課題を解決するための手段】
【０００６】
本発明は、上記目的を達成するために、請求項１に記載の発明では、被記録媒体に画像を記録する画像記録部と、画像記録部に供給される被記録媒体が載置される載置部と、載置部に載置された被記録媒体を画像記録部に搬送するとともに、載置部から画像記録部に向けて既に搬送された被記録媒体を載置部に逆搬送可能な給送手段と、載置部の後端側に設けられ、被記録媒体の端部位置を規制する壁面を有するリヤガイドとを備え、壁面には、略水平方向に突出した突起部が設けられており、さらに、突起部のうち上方側の面は、突起部の根元側から先端側に向かうほど下方側に下がるように傾斜し、一方、突起部のうち下方側の面は、略水平又は突起部の先端側から根元側に向かうほど上方側に上がるように傾斜していることを特徴とする。
【０００７】
そして、本発明では、載置部の後端に設けられたリヤガイドの壁面に突起部を設け、かつ、その突起部は、その下方側の面が略水平又は突起部の先端側から根元側に向かうほど上方側に上がるように傾斜しているので、載置部に戻される被記録媒体の戻し速度が大きい場合であっても、突起部の下方側の面がストッパとして機能する。
【０００８】
すなわち、後述する図１７に示すように、被記録媒体は、突起部の下方側の面に対して下側から上側に向かって衝突するとともに、その衝突方向は、突起部の先端側から根元側に向かうように傾いている。
【０００９】
したがって、突起部の下方側の面が、略水平又は突起部の先端側から根元側に向かうほど上方側に上がるように傾斜していると、突起部の下方側の面に衝突した被記録媒体の先端は、突起部の根元側に移動しようとする。
【００１０】
このとき、突起部の根元側に移動した被記録媒体の先端は、更に移動することができない（逃げ場がない）ので、突起部に衝突した被記録媒体は、突起部の根元側で止まってしまうので、突起部の下方側の面は、載置部に戻ってきた被記録媒体がリヤガイドを乗り越えて載置部外に出てしまうことを防止するストッパとして機能する。
【００１１】
また、突起部の上方側の面に衝突した被記録媒体は、上方側の面に乗り上げて滑るように上方側に移動するが、その後、衝突した突起部の上方側に存在する他の突起部の根元側に衝突するので、その時点で被記録媒体の上方側への移動が停止する。
【００１２】
このとき、上方側の面は、突起部の根元側から先端側に向かうほど下方側に下がるように傾斜しているので、一旦、上方側に移動した被記録媒体は、上方側の面に沿って滑るようにして下方側に移動する。
【００１３】
以上の説明から明らかなように、本発明によれば、載置部に戻されてきた被記録媒体がリヤガイドを乗り越えて載置部から飛び出してしまうことを未然に防止できる。
また、突起部は、請求項２に記載の発明のごとく、リヤガイドのうち、少なくとも上端側に設けられていることが望ましい。
【００１４】
なお、リヤガイドの上端側とは、載置部に載置される被記録媒体の最大枚数相当の高さ程度以上をいい、必ずしもリヤガイドの先端を意味するものではない。
また、突起部は、請求項３に記載の発明のごとく、先端側に向かうほど断面積が縮小するような形状とすることが望ましい。
【００１５】
さらに、請求項４に記載の発明のごとく、突起部をリヤガイドの上端側から下端側の間に複数個設ければ、載置部に載置された被記録媒体の枚数が減少して、被記録媒体の載置高さが低下しても、戻されてきた被記録媒体がリヤガイドを乗り越えて載置部から飛び出してしまうことを確実に防止できる。
【発明を実施するための最良の形態】
【００１６】
本実施形態は、本発明に係る画像記録装置１をファクシミリ機能、プリンタ機能、複写機能、スキャナ機能等を備える多機能装置（Multi Function Device）に適用したものであり、以下、本実施形態を図面と共に説明する。
【００１７】
（第１実施形態）
図１は本実施形態に係る画像記録装置１の全体斜視図であり、図２は上部ケースを除去した本体ケースの斜視図であり、図３は上部ケースを除去した本体ケースの平面図、図４は画像記録部と給紙カセットと給紙ユニット部分の要部側断面図である。
【００１８】
また、図５は記録部ユニットの要部側断面図、図６は給紙ユニットの側面図であり、図７は記録部ユニットに給紙カセットを装着した状態の一部切欠き平面図であり、図８は下流側のガイドプレート及びプラテンを除いた状態の記録部ユニットの斜視図であり、図９は記録部ユニットの側面図である。
【００１９】
また、図１０は動力伝達切換え手段の説明図であり、図１１は各作業モード時の作用説明図であり、図１２（ａ）〜（ｂ）は精密（間欠給紙）記録モード時の作用説明図であり、図１３（ａ）〜（ｃ）及び〜図１４（ａ）〜（ｂ）は連続給紙記録モード時の作用説明図であり、図１５は給紙トレイ５の模式図であり、図１６は給紙トレイ５に載置された用紙の状態を示す図であり、図１７は突起部の効果を示す図であり、図１８は制御装置の機能ブロック図であり、図１９及び図２０は制御のフローチャートである。
【００２０】
１．画像記録装置の機械的構造
画像記録装置１は、図１に示すように、上面開放の略箱状の本体ケーシング２と、ヒンジ部等の回動可能連結部材（図示せず）を介して上下回動可能に本体ケーシング２に組み付けられた上部ケース３とを有する。因みに、本体ケーシング２及び上部ケース３は合成樹脂製の射出成形品である。
【００２１】
なお、以下の説明において、図１の画像記録装置１の手前側を前側とし、左右方向（主走査方向、Ｙ軸方向）や、前後方向（副走査方向、Ｘ軸方向）、上下方向に関しても図１の画像記録装置１の向きを基準に説明する。
【００２２】
上部ケース３の上面前部には操作パネル３０が配置されており、この操作パネル３０には、数字ボタンやスタートボタン、機能操作ボタン等の各種のボタン、及び液晶（ＬＣＤ）等のディスプレイ部３１が設けられている。なお、ディスプレイ部３１には、画像記録装置１の設定状態や各種の操作メッセージ等が必要に応じて表示される。
【００２３】
１．１．スキャナ装置
上部ケース３のうち操作パネル３０の後部側には、スキャナ装置３３が配置されており、このスキャナ装置３３は、ファクシミリ機能時に相手ファクシミリ装置に送信すべきファクシミリ原稿や、複写機能時に複写すべき原稿の画像を読取るための画像読取部である。
【００２４】
そして、本実施形態では、プラテンガラスに載置された原稿の画像を読取るフラットベッド読取部、このフラットベッド読取部の上面を覆う回動可能なカバー体３４等からスキャナ装置３３が構成されており、カバー体３４は、画像記録装置１の背面側（図１の奥側）を中心にしてヒンジを介して開閉回動可能に構成されている。
【００２５】
また、フラットベッド読取部におけるプラテンガラスの直下には、プラテンガラスに当接させた原稿の画像面を読取るための光電変換素子の一例としてのライン型の密着型イメージセンサ（ＣＩＳ：Contact Image Sensor）が、キャリッジの移動方向（主走査方向、Ｙ軸方向）と平行な方向に延びるガイド軸に沿って往復移動可能に設けられている。
【００２６】
１．２．プリンタ装置（画像記録部）
本体ケーシング２内の左右方向中央部には、図１に示すように、その底部に複数枚の用紙Ｐをほぼ水平状態で積層載置する給紙トレイ５が配置されており、この給紙トレイ５は本体ケーシング２の前面の開口部２ａに対して引き出し動可能に構成されている。そして、給紙トレイ５の先端には、図４に示すように、摩擦係数の大きい分離部材（図示せず）が配置された分離傾斜面８が設けられている。
【００２７】
一方、本体ケーシング２内には、図２〜図４に示すように、給紙トレイ５の上部に相当する部位に配置された給紙ローラ７からなる給送ユニット６、本体ケーシング２内の後端部で上向きＵ字状に湾曲した搬送路９を介して前向きほぼ水平状に用紙Ｐを搬送する搬送経路、並びに搬送経路中に配置されて用紙を支持するプラテン１１、及びプラテン１１上に搬送された用紙Ｐにインクを吐出して画像記録する記録ヘッド１２からなる記録部ユニット１０等が配置されている。
【００２８】
インクカートリッジ２６は、記録ヘッド１２に供給するインクを貯蔵するためのタンク手段であり、図３に示すように、各インクカートリッジ２６と記録ヘッド１２とは可撓性を有するインクチューブ２８を介して接続されている。そして、インクカートリッジ２６を収容する収容部２７は、本体ケーシング２内であって、前記のヒンジを有する側面板と対峙して最も離間した位置の側面板の内面に接近した位置に設けられている。
【００２９】
なお、インクカートリッジ２６は、複数色毎のインクが貯蔵されており、本実施形態ではブラック、シアン、マゼンタ、イエローの四色であるが、それ以上の色のインクを収納してもよい。
【００３０】
図２〜図５に示すように、記録部ユニット１０は、記録ヘッド１２を有するキャリッジ１３、合成樹脂製の板状のプラテン１１、キャリッジ１３を往復移動させるためのＣＲ（キャリッジ）モータ２４、ＣＲモータ２４に接続されたタイミングベルト２５、及びこれらを支持するための金属板製のフレーム３９等から構成されている。
【００３１】
そして、フレーム３９は、図２に示すように、本体ケーシング２の後部側であって、給紙トレイ５の上方に配置されているとともに、箱型をなす本体部３９ａの上部側にて本体ケーシング２の左右方向（主走査方向、Ｙ軸方向）に伸びてキャリッジ１３を摺動可能に支持する一対のガイドプレート４０、４１から構成されている。
【００３２】
ガイドプレート４１は、図３に示すように、用紙搬送方向の下流側に配置されており、このガイドプレート４１の上面には、主走査方向（Ｙ軸方向）に延びるように配置されたタイミングベルト２５がプーリに巻回されている。そして、このタイミングベルト２５の一部にキャリッジ１３が連結されている。
【００３３】
また、ガイドプレート４１の上面には、その長手方向（主走査方向）に沿って延びるようにリニアエンコーダ（図示せず）が配置されており、このリニアエンコーダ３７によりキャリッジ１３のＹ軸方向（主走査方向）の位置やその移動方向が検知される。
【００３４】
また、フレーム３９の本体部３９ａ（図６参照）には、図４に示すように、駆動軸１４及び給送ユニット６の給紙アーム６ａが回動自在に軸止されているとともに、記録ヘッド１２の下面と対向して用紙Ｐを支持するための平板状のプラテン１１が配置されている。
【００３５】
そして、給送ユニット６の給紙アーム６ａには、図４に示すように、駆動軸１４から給紙ローラ７に回転力を伝達するための複数枚の歯車からなる歯車伝動機構５０が配置されており、給紙アーム６ａは、ねじりバネ３８（図６参照）により常時下向き回動方向に弾性的に付勢されている。
【００３６】
また、レジストローラ２０は、記録ヘッド１２より用紙Ｐの搬送方向上流側に配置されて給紙トレイ５から搬送されてきた用紙Ｐを記録ヘッド１２に送るための搬送ローラであり、排紙ローラ２１は、画像記録を終えた用紙Ｐを排紙部に向かって（図１及び図４の矢印Ｂ方向参照）搬送するため搬送ローラである。
【００３７】
なお、レジストローラ２０の駆動ローラ２０ａ及び排紙ローラ２１ａは、フレーム３９を構成する一対の側板３９ｂ、３９ｃに設けられた軸支部に回転可能に軸支されている。
また、搬送される用紙Ｐの幅方向（用紙Ｐの短辺）より外側のうち、その一端側（図３の左側）にはインク受け部３５が設けられ、一方、他端側（図３の右側）には、メンテナンスユニットからなるメンテナンス部３６が設けられている。そして、記録ヘッド１２はインク受け部３５に設けられたフラッシング位置にて記録動作中に定期的にノズルの目詰まり防止のためのインク吐出を行い、その際に吐出されたインクはインク受け部３５にて受ける。
【００３８】
また、駆動ローラ２０ａ、排紙ローラ２１ａ及びメンテナンス部３６には、図７、図９及び図１０に示すように、駆動モータ（ＬＦモータ）４２の動力が歯車伝動機構４３を介して伝達される。なお、ＬＦモータは、メンテナンス部３６の配置側と反対側の側板３９ｂ近傍に配置されている。
【００３９】
歯車伝動機構４３は、正逆回転可能なＬＦモータ４２の駆動軸に取付けられたピニオン４３ａ、これに左右で噛み合う伝動ギヤ４３ｂ、中間ギヤ４３ｃ、及び中間ギヤ４３ｃに噛み合う伝動ギヤ４３ｄ等から構成されている。そして、伝動ギヤ４３ｂは駆動ローラ２０ａの一側（左端部）に取り付けられ、伝動ギヤ４３ｄは排紙ローラ２１ａの一端（左端部）に取付けられている。
【００４０】
また、レジストローラ２０の配置位置よりも搬送方向上流側には、用紙Ｐが搬送路９を介して記録ヘッド１２（画像記録部）に近づくように給紙されたときに、その用紙Ｐの先端位置及び終端位置を検出するための用紙検出体１１６が設けられており（図５参照）、これに関連させてレジセンサ１１７が設けられている。また、歯車伝動機構４３の一部には、用紙Ｐの搬送量を検知するためのロータリエンコーダ４４が設けられている。
【００４１】
なお、ＬＦモータ４２の回転力は、駆動ローラ２０ａの他端部から、後述するメンテナンス部３６上に配置された動力伝達切換機構１００を介して給送ユニット６の給紙ローラ７及びメンテナンス部３６のメンテナンス機構（詳細は図示せず）に対して選択的に伝達される。
【００４２】
また、給紙トレイ５の後端側には、図１５に示すように、用紙Ｐの後端部位置を規制する壁面５ａを有するリヤガイド５ｂが設けられており、この壁面５ａには、図１６に示すように、略水平方向に突出した複数個の突起部５ｃがリヤガイド５ｂの上端側から下端側に掛けて設けられている。
【００４３】
ここで、給紙トレイ５の後端側とは、給紙トレイ５から搬送される用紙の搬送方向下流（後退）側をいい、図１５においては、用紙Ｐは右側に搬送されるので、給紙トレイ５の左端側が給紙トレイ５の後端側に相当する。
【００４４】
また、リヤガイド５ｂの上端側とは、給紙トレイ５に載置される用紙の最大枚数相当の高さ以上をいい、必ずしもリヤガイド５ｂの先端を意味するものではない。したがって、リヤガイド５ｂの上端（先端）から下方側にずれた部位との間に、突起部５ｃが設けられていない部位が存在していてもよい。
【００４５】
そして、突起部５ｃは、図１６、図１７に示すように、その上方側の面５ｄが突起部５ｃの根元側から先端側に向かうほど下方側に下がるように傾斜し、一方、下方側の面５ｅが略水平となるような直角三角形状を有している。このため、突起部５ｃは、その断面積が先端側に向かうほど縮小するような形状に構成されている。
【００４６】
なお、突起部５ｃの断面とは、突起部５ｃを突起部５ｃの突出方向と直交する方向で切断したときの面をいい、直角三角形状とは、突起部５ｃの突出方向と直交する方向から突起部５ｃを見たときの形状を意味している。
【００４７】
１．３．駆動力の動力伝達部及び動力伝達切換機構１００の構成
次に、図８、図１０及び図１１を参照しながら、給送ユニット６及びメンテナンス部３６に対するそれぞれの駆動力の動力伝達部及び動力伝達切換機構１００の構成について説明する。
【００４８】
動力伝達切換機構１００は、メンテナンス部３６のみに動力伝達するメンテナンスモード、給送ユニット６における給紙ローラ７の駆動態様を間欠給紙モード、及び連続給紙モードのいずれかのモードに切り換えるものである。なお、本実施形態において「モード」とは、動力伝達切換機構１００によって切り換えられない限り、継続される動作状態のことをいうものとする。
【００４９】
正逆回転可能なＬＦモータ４２からの回転力は、減速ギヤ４３ｂを介してレジストローラ２０の駆動ローラ２０ａに伝達される。駆動ローラ２０ａの右端部（メンテナンス部３６）には、動力伝達切換機構１００を構成する軸方向に長い駆動ギヤ１０１が一体的に回転するように設けられている。
【００５０】
そして、駆動ギヤ１０１に常時噛み合う切換えギヤ１０２は、駆動ローラ２０ａの軸線と並行に配置された支軸１０３に対してスライド可能に構成されており、支軸１０３には、上向きに延びる当接片１０４ａを備えた第１ブロック１０４が、摺動、かつ、回動可能に組み付けられている。
【００５１】
第１ブロック１０４に隣接する第２ブロック１０５は、支軸１０３に対して摺動可能に組み付けられており、第１ブロック１０４は切換えギヤ１０２の片面に対して切り離し可能である。そして、支軸１０３に嵌め込まれた第１付勢ばね１０６ａは、第２ブロック１０５を図１０の矢印Ｃ方向に押圧し、第２付勢ばね１０６ｂは切換えギヤ１０２を図１０の矢印Ｅ方向に押圧する。なお、第１付勢ばね１０６ａの付勢力は、第２付勢ばね１０６ｂ力より大きくなるように設定されている。
【００５２】
また、キャリッジ１３の第１係合段部１３ａ又は第２係合段部１３ｂにて当接片１０４ａを受けることができ、キャリッジ１３の矢印Ｃ方向又は矢印Ｅ方向への移動に応じて、これら切換えギヤ１０２、第１ブロック１０４及び第２ブロック１０５は、支軸１０３に沿って矢印Ｃ方向又は矢印Ｅ方向へ移動する。
【００５３】
第１ブロック１０４と第２ブロック１０５との対面箇所には、支軸１０３の軸線に対して傾斜した端面カム部（図示せず）が形成されており、第２ブロック１０５で第１ブロック１０４を矢印Ｃ方向に押すときには、図１０において矢印Ｄ方向（図１１においては紙面の手前側）に当接片１０４ａが回動するように構成されている。
【００５４】
また、図１１（ａ）に示すように、第１ブロック１０４より上方位置には、当接片１０４ａの先端部が上下に貫通するとともに、当接片１０４ａの先端部が摺動可能なガイド溝１０９を有するプレート状等のガイドブロック１０７が配置されている。
【００５５】
このガイド溝１０９は、平面視である図１１（ｂ）に示すように、矢印Ｃ、Ｅ方向に長い直線溝部１０９ａと、この直線溝部１０９ａの左端部に連通する時計回りの環状溝部１０９ｂとを備えている。
【００５６】
なお、本実施形態では、ガイドブロック１０７の上方から下向きに延びる規制片１１０を環状溝部１０９ｂの中央部に臨ませてあり、この規制片１１０は、直線溝部１０９ａに沿っている。そして、環状溝部１０９ｂの一側には、階段状の第１セット部１１１と第２セット部１１２とが設けられている。
【００５７】
また、図１１（ｂ）に示すように、キャリッジ１３がメンテナンス部３６から矢印Ｃ方向に大きく移動して、用紙Ｐに対する記録領域にあるときには、第１付勢ばね１０６ａで矢印Ｃ方向に押された第２ブロック１０５を介して第１ブロック１０４及び切換えギヤ１０２が支軸１０３に沿って移動し、第１ブロック１０４の当接片１０４ａは、第１セット部１１１に位置する（以下、この位置をポジション１（Ｐｏ１）という）。
【００５８】
このとき、切換えギヤ１０２は、間欠給紙伝動ギヤ１１３に噛み合う。次いで、キャリッジ１３がメンテナンス部３６で矢印Ｅ方向に移動するときには、キャリッジ１３の第１係合段部１３ａにて当接片１０４ａが押され、この当接片１０４ａが第２セット部１１２に位置するとき（以下、この位置をポジション２（Ｐｏ２）という）、切換えギヤ１０２は、連続給紙伝動ギヤ１１４に噛み合う。
【００５９】
そして、キャリッジ１３がさらに矢印Ｅ方向に移動すると、第１係合段部１３ａにて押された当接片１０４ａが環状溝部１０９ｂのうち直線溝部１０９ａへ連なる連接傾斜面に沿って移動し、当接片１０４ａが直線溝部１０９ａに入った初期箇所（この位置をポジション３（Ｐｏ３）という）では、当接片１０４ａはキャリッジ１３における第２係合段部１３ｂに係合する。このとき、切換えギヤ１０２は、メンテナンス用伝動ギヤ１１５に噛み合っている。
【００６０】
また、ポジション３（Ｐｏ３）から、キャリッジ１３が矢印Ｅ方向にさらに移動するとき、切換えギヤ１０２の側面が傘歯車１１５ａに当接して矢印Ｅ方向への移動が阻止されて、切換えギヤ１０２が第１ブロック１０４から切り離され、切換えギヤ１０２とメンテナンス用伝動ギヤ１１５との噛み合いが保持される。
【００６１】
そして、当接片１０４ａはキャリッジ１３の第２係合段部１３ｂに押され、直線溝部１０９ａの終端部（図１２（ｂ）の右端部）に位置する。なお、以下、この位置をポジション４（Ｐｏ４）といい、通常、ホームポジション（原点位置）となる。
【００６２】
一方、前述した作動とは逆にポジション４（Ｐｏ４）からキャリッジ１３が矢印Ｃ方向に移動し、当接片１０４ａが直線溝部１０９ａから環状溝部１０９ｂに移行するとき、第１係合段部１３ａにて当接片１０４ａが受け止められているので、上記連接傾斜面に当接片１０４ａが入り込まない。このため、当接片１０４ａは規制片１１０に摺接しながら図１１（ｂ）で環状溝部１０９ｂの左傾斜面に沿って左端部に至り、第１セット部１１１に当接片１０４ａが係合する。
【００６３】
以上に説明した４種類のポジションのうちポジション３（Ｐｏ３）は、待機位置兼用のメンテナンス位置であり、待機位置兼用のメンテナンス位置では、メンテナンス部３６のキャップ部３６ａが記録ヘッド１２のノズル面を下方から覆っている。
【００６４】
そして、メンテナンス時には、ＬＦモータ４２が駆動し、吸引ポンプ（図示せず）を作動させてノズルからインクを選択的に吸引したり、記録ヘッド１２上の図示しないバッファタンク内の気泡を除去するための回復処理等を行うとともに、キャリッジ１３がメンテナンス部３６から画像記録領域（図７の左方向）に横方向に移動するときには、クリーナ（ワイパブレード）３６ｂでノズル面が拭かれてノズル面に付着したインクが除去される。
【００６５】
なお、画像記録装置１に電源投入されていない状態では、キャリッジ１３はメンテナンス部３６の上面位置にて停止しており（ポジション３（Ｐｏ３））、記録ヘッド１２のノズル部はメンテナンス部３６の上面のキャップ部３６ａにて密着されて覆われている（図７参照）。因みに、ホームポジション（原点位置）でも、ノズル部はキャップ部３６ａに密着されて覆われている。
【００６６】
また、切換えギヤ１０２が間欠給紙伝動ギヤ１１３に噛み合うポジション１（Ｐｏ１）では、図１２（ａ）及び図１２（ｂ）に示すように、２つの中間ギヤ１１９ａ、１１９ｂを介して給紙アーム６ａ基端に設けられた駆動軸１４に動力が伝達され、給紙ローラ７は、歯車伝動機構５０を介して回転させられる。
【００６７】
一方、切換えギヤ１０２が連続給紙伝動ギヤ１１４に噛み合うポジション１（Ｐｏ１）では、図１３（ａ）〜図１３（ｃ）及び図１４（ａ）に示すように、１つの中間歯車１２０を介して給紙アーム６ａ基端に設けられた駆動軸１４に動力が伝達され、給紙ローラ７は歯車伝動機構５０を介して回転させられる。
【００６８】
２．画像記録装置１の電気的な構成
次に図１８を参照して、この画像記録装置１の電気的な構成（制御部）について説明する。
【００６９】
制御部は、画像記録装置１の全体的な動作を制御するものであり、具体的には、ＣＰＵ３００、ＲＯＭ３０１、ＲＡＭ３０２、ＥＥＰＲＯＭ３０３を中心とするマイクロコンピュータにて構成されており、ＣＰＵ３００等は、バス３０５を介してＡＳＩＣ（Application Specific Integrated Circuit）３０６に接続されている。
【００７０】
ＲＯＭ３０１には、インクジェットプリンタの各種動作を制御するプログラム等が格納されており、ＲＡＭ３０２は、ＣＰＵがこれらのプログラムを実行する際に用いる各種データを一時的に記憶する記憶領域（作業領域）として用いられる。
【００７１】
ＡＳＩＣ３０６にはＮＣＵ（Network Control Unit）３１７が接続されており、公衆回線からＮＣＵ３１７を介して入力された通信信号はＭＯＤＥＭ３１８によって復調されてからＡＳＩＣ３０６に入力される。また、ＡＳＩＣ３０６がファクシミリ送信等で画像データを外部へ送信する場合には、その画像データがＭＯＤＥＭ３１８によって通信信号に変調され、その通信信号がＮＣＵ３１７を介して公衆回線に出力される。
【００７２】
また、ＡＳＩＣ３０６は、ＣＰＵ３００からの指令に従い、例えばＬＦモータ４２に通電する相励磁信号等を生成して、これらの信号をＬＦモータ４２の駆動回路３１１やＣＲモータ２４の駆動回路３１２に与え、駆動回路３１１や駆動回路３１２等を介してＬＦモータ４２やＣＲモータ２４に駆動信号を通電し、ＬＦモータ４２やＣＲモータ２４の正逆回転、停止等の制御を行っている。
【００７３】
また、ＡＳＩＣ３０６には、原稿の画像や文字を読み取るためのスキャナ装置３３（例えば、ＣＩＳ等）、送受信操作のための操作パネル３０のキーボード３０ａや液晶ディスプレイ（ＬＣＤ）３０ｂを備えたパネルインターフェース３１３、パソコン等の外部機器とパラレルケーブルやＵＳＢケーブルを介してデータの送受信を行うためのパラレルインターフェース３１５やＵＳＢインターフェース３１６等が接続されている。
【００７４】
さらに、ＡＳＩＣ３０６には、メンテナンス部３６のカム（図示せず）の回転位置を検出するためのリーフスイッチ１１８、用紙Ｐが搬送路９を介して画像記録部に近づくように給紙されたときに、その用紙Ｐの先端位置及び終端位置を検出するために搬送路９の搬送下流側に位置する用紙検出体１１６に関連させて設けられたレジセンサ１１７、駆動ローラ２０ａの回転量を検出するためのロータリエンコーダ４４、キャリッジ１３の主走査方向での移動量及び移動位置（現在位置）を検出するためのリニアエンコーダ３７等が接続されている。
【００７５】
駆動回路３１４は、記録ヘッド１２から所定のタイミングでインクを用紙Ｐに対して選択的に吐出させるためのものであり、ＣＰＵ３００から出力される駆動制御手順に基づきＡＳＩＣ３０６において生成され出力された信号を受けて、記録ヘッド１２を駆動制御する。
【００７６】
３．画像記録装置１の制御
次に、上述の制御部による用紙給紙及び画像記録の制御について説明する。
本実施形態では、用紙（カットシート）の給紙態様を第１モードと第２モードとに切換えて制御している。
【００７７】
すなわち、第１モードは、複数枚の用紙への画像記録に際して、給紙トレイ５から用紙を間欠的に給紙するモードであり、画像記録の良好な精度を優先するモードである。また、第２モードは、複数枚の用紙への画像記録に際して、給紙トレイ５から用紙を連続的に給紙するモードであって、複数枚の用紙を高速度で給紙するモードである。以下、その詳細を図１９に従って説明する。
【００７８】
図１９に示される制御フローは、画像記録装置１の電源が投入されと起動される。そして、操作パネル３０に設けられたモード設定ボタン（図示せず)からの信号に基づいて、ユーザが第１モード又は第２モードのいずれを選択したかが確認される（Ｓ１）。
【００７９】
なお、第１モードは、カラー写真画像等のカラー記録（印刷）用の搬送モードであって、多色のインクを微小ドットで用紙に記録させるときに、搬送される用紙Ｐの先端縁をレジストローラ２０で一旦停止させて用紙Ｐの斜行を除去するとともに、用紙Ｐの搬送位置と記録ヘッド１２の印刷位置とを合わせることで、色ずれ、色むら等が発生しないようにするものである。
【００８０】
次に、精度優先モード（間欠給紙モード）であるか否かが判定され（Ｓ２）、精度優先モードであると判定された場合には（Ｓ２：ＹＥＳ）、ＲＡＭ３０２内の所定領域に第１モードを示すフラグが記憶され（Ｓ３）、動力伝達切換機構１００が第１モードに設定される（Ｓ４）。
【００８１】
具体的には、待機位置（ポジション３（Ｐｏ３））に停止しているキャリッジ１３を図１１（ｂ）に示すように矢印Ｃ方向であって画像記録領域側に大きく移動させる。これにより、付勢ばね１０６ａで押されている第１ブロック１０４は、環状溝部１０９ｂの規制片１１０に沿って矢印Ｃ方向に移動し、キャリッジ１３が環状溝部１０９ｂから外れたときに、第１セット部１１１に受け入れられてその位置が保持される（ポジション１（Ｐｏ１））。
【００８２】
そして、ポジション１では、切換えギヤ１０２が給紙側ギヤ１１３に噛み合い、図１２（ａ）に示す中間歯車１１９ａ、１１９ｂを介して給送ユニット６の駆動軸１４の歯車に動力が伝達される。このため、ＬＦモータ４２を逆回転させると、レジストローラ２０の駆動ローラ２０ａ及び切換えギヤ１０２が逆回転（図１２（ａ）で反時計回り回転）するので、給紙アーム６ａ内の歯車伝動機構５０を介して給紙ローラ７は搬送方向（図１２（ａ）で反時計回り、正回転）に回転駆動する。
【００８３】
したがって、給紙トレイ５に積層された複数枚の用紙Ｐは、給紙トレイ５の先端に設けられた分離傾斜面８のうち摩擦係数の大きい分離部材（図示せず）に突き当たり、最上層の用紙Ｐのみ（１枚の用紙Ｐ）が分離搬送される（Ｓ５）。このとき、レジストローラ２０の駆動ローラ２０ａが逆回転（図１２（ａ）で反時計回り回転）しているので、従動ローラ２０ｂと駆動ローラ２０ａとのニップ部に用紙Ｐの先端縁が突き当たるので、用紙Ｐの斜行が補正される。
【００８４】
次いで、制御部は、図１２（ｂ）に示すように、ＬＦモータ４２を適宜ステップ数だけ正回転させて駆動ローラ２０ａ及び切換えギヤ１０２を正回転（図１２（ａ）で時計回り回転）させることにより、従動ローラ２０ｂと駆動ローラ２０ａとのニップ部で挟持された用紙Ｐを給紙トレイ５の下方に搬送する（頭出し動作）。
【００８５】
ここで、頭出し動作とは、レジストローラ２０で挟持された用紙Ｐの先端が、用紙検出体１１６を通過した位置から用紙Ｐを画像記録部の所定位置まで前進させて、画像記録の開始可能位置に用紙Ｐをセットすることをいう。
【００８６】
このとき、給紙ローラ７は給紙方向と反対方向に逆回転（図１２（ｂ）で反時計回り回転）するが、レジストローラ２０でのニップ力を給紙トレイ５の箇所での給紙ローラ７による搬送力（付勢ねじりばね３８による給紙ローラ７の用紙への押圧力等による給紙ローラ７の用紙への食いつき力）よりも大きく設定することで、レジストローラ２０でニップされた用紙Ｐは給紙ローラ７の周面に対して滑り、給紙アーム６ａは駆動軸１４を中心にして上向き揺動するというリリース作用が働くことになる。
【００８７】
続いて、図示しない外部コンピュータ等から画像記録指令があると、制御部は、用紙Ｐを間欠的に前進させながら、キャリッジ１３を主走査方向に往復移動させつつ記録ヘッド１２のノズルから用紙Ｐの片面（表面）にインクを吐出させて画像記録を開始する（Ｓ６）。
【００８８】
なお、用紙Ｐを間欠的に前進させるときは、レジストローラ２０及び排紙ローラ２１は同方向に回転（正回転）している。また、頭出し動作時及び画像記録のときには、駆動軸１４が逆回転することにより、給紙アーム６ａが上向き回動すると共に給紙ローラ７は逆回転（図６において、反時計廻りに回転）している。
【００８９】
そして、１枚分の記録が終了したか否かが判定され（Ｓ７）、１枚分の記録が終了したと判定されると（Ｓ７：ＹＥＳ）、その画像記録済みの用紙Ｐが排出される（Ｓ８）。このとき、制御部は、レジストローラ２０及び排紙ローラ２１を連続的に正回転させるべくＬＦモータ４２を適宜ステップ数だけ正回転させた後（Ｓ９：ＹＥＳ）、ＬＦモータ４２を停止させる（Ｓ１０）。
【００９０】
次いで、後続する用紙（次頁）に対する画像記録データが有か否かが判定され（Ｓ１１）、画像記録データが有ると判定された場合には（Ｓ１１：ＹＥＳ）、Ｓ５からＳ１１までの処理が繰り返される。
【００９１】
次に、第２モードの場合について説明する。
Ｓ２において、第１モードでないと判断された場合には（Ｓ１１：ＮＯ）、ＲＡＭ３０２内の所定領域に第２モードを示すフラグが記憶され（Ｓ１２）、動力伝達切換機構１００が第２モードに設定される（Ｓ１３）。
【００９２】
ここで、第２モードは、画像記録動作において、画質よりも画像記録速度を優先して複数枚の用紙Ｐを給紙トレイ５から連続的に搬送するモードをいう。このため、第２モードでは、従動ローラ２０ｂと駆動ローラ２０ａとのニップ部でのニップ力が、給紙ローラ７で給紙トレイ５上の用紙Ｐを搬送する搬送力より大きく、かつ、駆動ローラ２０ａの周速度が給紙ローラ７の周速度より大きくなるように設定されている。
【００９３】
具体的には、ポジション１（Ｐｏ１）に停止しているキャリッジ１３を図１１（ｂ）に示すように矢印Ｅ方向に所定量だけ移動させて、当接片１０４ａをキャリッジ１３の第１係合段部１３ａにて押圧する。
【００９４】
そして、当接片１０４ａが第２セット部１１２（ポジション２、Ｐｏ２）に位置すると、切換えギヤ１０２と連続給紙伝動ギヤ１１４とが噛み合い、１つの中間ギヤ１２０を介して給紙アーム６ａの駆動軸１４に設けられた歯車に動力が伝達される。その後は、キャリッジ１３を矢印Ｃ方向（画像記録領域）に移動させても、第１付勢バネ１０６ａにて付勢されている当接片１０４ａは、低い段部である第２セット部１１２に位置した状態に保持される。
【００９５】
記録紙（用紙Ｐ）の給紙を開始すべく、制御部がＬＦモータ４２を正回転させると、駆動ローラ２０ａ及び切換えギヤ１０２が正回転（図１３（ａ）に示すように時計回り回転）し、かつ、給紙ローラ７も給紙方向に正回転する。このため、最上層の用紙Ｐのみ（１枚の用紙Ｐ）が分離して搬送路９に搬送される（Ｓ１４）。
【００９６】
次いで、その用紙Ｐの先端部が駆動ローラ２０ａと従動ローラ２０ｂとのニップ部に到達すると、用紙Ｐは、レジスト作用を受けることなく、直ちにこのニップ部で挟持されて給紙トレイ５の上方に搬送され（図１３（ｂ）参照）、最初の用紙Ｐへの画像記録が開始される（Ｓ１５）。なお、第２モード時においては、レジセンサ１７からの出力信号（ＯＮ・ＯＦＦ信号）をＡＳＩＣ３０６が受け付けないようにすることが好ましい。
【００９７】
また、１枚の用紙Ｐが駆動ローラ２０ａと従動ローラ２０ｂとのニップ部で挟持され、かつ、給紙ローラ７でもニップされているとき、つまり、図１３（ｂ）に示すように、両方のニップ部に跨がって用紙Ｐが位置しているときであっても、上述のように、従動ローラ２０ｂと駆動ローラ２０ａとのニップ部でのニップ力が、給紙ローラ７で給紙トレイ５上の用紙Ｐを搬送する搬送力より大きく、かつ、駆動ローラ２０ａの周速度が給紙ローラ７の周速度より大きく設定されているので、駆動ローラ２０ａと従動ローラ２０ｂとのニップ部で挟持された用紙Ｐは確実に画像記録部に搬送される。
【００９８】
次いで、前記外部装置から記録すべき次頁（後続する用紙）データが有るか否かが判定され（Ｓ１６）、次頁データが有るとのコマンドを受信した場合には（Ｓ１６：ＹＥＳ）、先行する用紙Ｐの画像記録が終了したか否かが判定され（Ｓ１７）、先行する用紙Ｐの画像記録が終了したものと判定されると（Ｓ１７：ＹＥＳ）、現在のフラグが第１モードか第２モードかが判定される（Ｓ１８）。
【００９９】
そして、フラグが第２モードであると判定された場合には（Ｓ１８：第２）、制御部は、ＬＦモータ４２を間欠的回転させることなく連続的に正回転させて、駆動ローラ２０ａ、排紙ローラ２１ａ及び給紙ローラ７を正回転させる。
【０１００】
これにより、先行する用紙Ｐ（前頁）が排紙されるとともに、次の記録紙（後続する用紙）が記録開始位置に連続的に搬送され（Ｓ１９）、次頁の記録紙（後続する用紙）に対する画像記録を開始すべく、Ｓ１５に戻る（図１３（ｃ）参照）。このようにして、第２モードでは、レジストローラ２０で用紙Ｐを一時停止させることなく、複数枚の用紙Ｐを連続的に搬送するので、高速記録動作が可能となる。
【０１０１】
また、連続給紙動作（第２モード）中において、次の記録紙（後続する用紙）に対する画像記録データが存在しない場合、つまりＳ１６にてＮＯと判定された場合には、以下のような制御が実行される。
【０１０２】
すなわち、この制御では、後続する用紙の先端部位置が用紙検出体１１６の判定位置を越えて搬送方向下流側に位置するとき、又は、後続する用紙Ｐの先端部が既にレジストローラ２０により挟持されているときには、用紙Ｐが排紙側に搬送され、逆に、後続する用紙Ｐの先端部がレジセンサ（用紙センサ）１１７で検出されていないとき、つまり後続する用紙Ｐの先端部がレジセンサ１１７より搬送方向上流側に位置するときには、その後続する用紙Ｐが給紙トレイ５に戻される（図１４（ａ）、図１４（ｂ）、図１９及び図２０参照）。
【０１０３】
具体的には、Ｓ１６にて次頁有りのコマンドを受信しなかった場合には（Ｓ１６：ＮＯ）、画像記録部に位置する用紙Ｐ（記録紙）が所定量（例えば、印字行で３パス程度）だけ、排紙方向に搬送され（Ｓ２０）、この所定量の搬送が終了すると（Ｓ２０：ＹＥＳ）、フラグが第１モードに切り換えられる（Ｓ２１）。
【０１０４】
これにより、キャリッジ１３に移動の指令が出されて、動力伝達切換機構１００が第１モード（ポジション１）に設定され、その後、画像記録部に位置する用紙Ｐに画像が記録される（Ｓ１７）。
【０１０５】
そして、画像の記録が終了すると（Ｓ１７：ＹＥＳ）、現在のフラグの状態が判定され（Ｓ１８）、フラグが第１モードを示すフラグであると判定された場合には（Ｓ１８：第１）、次記録紙（後続記録紙）処理が実行される（Ｓ３０）。
【０１０６】
図２０は次記録紙（後続記録紙）処理の詳細制御を示すフローチャートであり、連続給紙動作中において、先行する記録紙（用紙Ｐ）の１頁分の画像記録が終了した時点で、レジセンサ１１７がＯＮ（後続する用紙Ｐの先端部が用紙検出体１１６の箇所を越えたときに相当）であるか否かが判定される（Ｓ３１）。
【０１０７】
そして、レジセンサ１１７がＯＦＦの場合、つまり、図１４（ａ）に示すように、後続する用紙Ｐの先端部が用紙検出体１１６まで到達していない場合には（Ｓ３１：ＮＯ）には、その後続する用紙Ｐを給紙トレイ５に戻すために、制御部は給紙ローラ７を逆回転させる（Ｓ３２）。一方、先行する用紙Ｐは画像記録が終了しているので、制御部は、排紙部側に排出するためにレジストローラ２０及び排紙ローラ２１を正回転させる。
【０１０８】
すなわち、上記の場合には、キャリッジ１３をメンテナンス部方向（図１１（ｂ）の矢印Ｅ方向）に移動させ、当接片１１４ａをポジション１（Ｐｏ１）に位置させるので（Ｓ２１、Ｓ２２参照）、このポジションでは、上述の間欠給紙動作時と同じように、切換えギヤ１０２が間欠給紙伝動ギヤ１１３に噛み合い、間欠給紙伝動ギヤ１１３から中間歯車１１９ａ、１１９ｂを介して給紙アーム６ａの給紙ローラ７に回転力が伝達される。
【０１０９】
そして、この状態でＬＦモータ４２を正回転させると、レジストローラ２０の駆動ローラ２０ａ及び排紙ローラ２１の駆動ローラ２１ａは正回転するので、先行する用紙Ｐは排紙部側に搬送され、一方、給紙ローラ７は逆回転するので、給紙ローラ７を所定量回転させた後、停止させると（Ｓ３３、Ｓ３４）と、後続する用紙Ｐ１は給紙トレイ５に戻る（図１４（ａ）参照）。
【０１１０】
また、レジセンサ１１７がＯＮの場合、つまり、後続する用紙Ｐの先端部が用紙検出体１１６の箇所を越えた場合には（Ｓ３１：ＹＥＳ）、制御部は、ＬＦモータ４２を逆回転させ、給紙ローラ７を所定量だけ正回転（駆動ローラ２０ａは逆回転）させ（Ｓ３５、Ｓ３６）、上記後続する用紙Ｐ１の先端縁をレジストローラ２０に当てて用紙Ｐにレジスト作用を受けさせる。
【０１１１】
次に、制御部は、一旦ＬＦモータ４２の回転を停止させ、図１４（ｂ）に示すように、駆動ローラ２０ａ及び給紙ローラ７の回転を止めた後（Ｓ３７）、ＬＦモータ４２を正回転させることで、駆動ローラ２０ａ及び排紙ローラ２１ａを正回転させて用紙Ｐを排紙させる。この状態では、図１４（ｂ）に示すように、給紙ローラ７は逆回転しているので、制御部が給紙ローラ７を所定量だけ正回転させると（Ｓ３９）、後続用紙Ｐ１の更に後続する用紙Ｐ２は給紙トレイ５側に戻る。
【０１１２】
４．本実施形態に係る画像記録装置の特徴
本実施形態では、給紙トレイ５の後端に設けられたリヤガイド５ｂの壁面５ａに突起部５ｃを設け、かつ、その突起部５ｃは、図１６に示すように、その下方側の面５ｅが略水平となっているので、給紙トレイ５に戻される用紙Ｐの戻し速度が大きい場合であっても、図１６（ｂ）に示すように、突起部５ｃの下方側の面５ｅがストッパとして機能する。
【０１１３】
すなわち、図１７に示すように、用紙Ｐは、突起部５ｃの下方側の面５ｅに対して下側から上側に向かって衝突するとともに、その衝突方向は、突起部５ｃの先端側から根元側に向かうように傾いている。
【０１１４】
したがって、突起部５ｃの下方側の面５ｅが、略水平（図１７の実線）又は突起部５ｃの先端側から根元側に向かうほど上方側に上がるように傾斜していると（図１７の２点鎖線）、突起部５ｃの下方側の面５ｅに衝突した用紙Ｐの先端は、突起部５ｃの根元側に移動しようとする。
【０１１５】
そして、突起部５ｃの根元側に移動した用紙Ｐの先端は、更に移動することができない（逃げ場がない）ので、突起部５ｃに衝突した用紙Ｐは、突起部５ｃの根元側で止まってしまう。このため、突起部５ｃの下方側の面５ｅは、給紙トレイ５に戻ってきた用紙Ｐがリヤガイド５ｂを乗り越えて給紙トレイ５外に出てしまうことを防止するストッパとして機能する。
【０１１６】
また、突起部５ｃの上方側の面５ｄに衝突した用紙Ｐは、面５ｄに乗り上げて上方側に滑るように移動するが、その後、衝突した突起部５ｃの上方側に存在する他の突起部５ｃの根元側に衝突するので、用紙Ｐの上方側への移動が停止する。
【０１１７】
このとき、上方側の面５ｄは、突起部５ｃの根元側から先端側に向かうほど下方側に下がるように傾斜しているので、一旦、上方側に移動した用紙Ｐは、図１６（ａ）に示すように、上方側の面５ｄに沿って滑るようにして下方側に移動する。
【０１１８】
以上の説明から明らかなように、本実施形態によれば、給紙トレイ５に戻されてきた用紙Ｐがリヤガイド５ｂを乗り越えて給紙トレイ５から飛び出してしまうことを未然に防止できる。
【０１１９】
また、本実施形態では、複数個の突起部５ｃがリヤガイド５ｂの上端側から下端側に掛けて設けられているので、給紙トレイ５に載置された用紙Ｐの枚数が減少して、用紙の載置高さが低下しても、戻されてきた用紙Ｐがリヤガイド５ｂを乗り越えて給紙トレイ５から飛び出してしまうことを確実に防止できる。
【０１２０】
５．実施形態と発明特定事項との対応関係
本実実施形態では、プリンタ部が特許請求の範囲に記載された画像記録部に相当し、給紙トレイ５が特許請求の範囲に記載された載置部に相当し、給送ユニット６が特許請求の範囲に記載された給送手段に相当する。
【０１２１】
（第２実施形態）
第１実施形態では、突起部５ｃを直角三角形状としたが、本実施形態は、図２１、図２２に示すように、突起部５ｃの上方側の面５ｄを曲面としたものである。
【０１２２】
なお、図２１は上方側の面５ｄを上方側に向けて凸となるようにした例であり、図２２は上方側の面５ｄを下方側に向けて凸となるようにした例である。
（第３実施形態）
第１実施形態では、突起部５ｃを直角三角形状としたが、本実施形態は、図２３に示すように、突起部５ｃの下方側の面５ｅを先端側から根元側に向かうほど上方側に上がるように傾斜させたものである。
【０１２３】
（第４実施形態）
上述の実施形態では、複数個の突起部５ｃをリヤガイド５ｂの上端側から下端側に掛けて設けたが、本実施形態は、図２４〜図２７に示すように、複数個の突起部５ｃをリヤガイド５ｂの上端側付近にのみ設けたものである。
【０１２４】
（第５実施形態）
上述の実施形態では、複数個の突起部５ｃをリヤガイド５ｂの上端側から下端側に掛けて設けたが、本実施形態は、図２８〜図３１に示すように、１個の突起部５ｃをリヤガイド５ｂの上端側に設けたものである。
【０１２５】
（その他の実施形態）
上述の実施形態では、本発明をインクジェット記録装置に適用したが、本発明の適用はこれに限定されるものではなく、例えば電子写真方式の画像記録装置（レーザプリンタ）にも適用することができる
また、上述の実施形態では、突起部５ｃがリヤガイド５ｂに一体形成されていたが、本発明はこれに限定されるものではない。すなわち、リヤガイド５ｂとは別体で形成された突起部５ｃが、リヤガイド５ｂに固設されていても良い。
【０１２６】
また、本発明は、特許請求の範囲に記載された発明の趣旨に合致するものであればよく、上述の実施形態に限定されるものではない。
例えば、本実施形態では画像記録部による画像記録が終了したときに、既に載置部から画像記録部に向けて搬送済の被記録媒体であって、未だ画像の記録されていない被記録媒体を載置部に逆搬送する場合について記載したが、この場合に限定されるものではない。
【０１２７】
すなわち、載置部から被記録媒体の相当量の搬送が行われたものの、何らかの事情で被記録媒体検出センサが被記録媒体を検出できない場合に、被記録媒体を載置部方向へ所定量だけ逆搬送する際にも、上述した通り、本発明は極めて有効である。このように、被記録媒体が載置部から画像記録部へと搬送されたものの、所定の条件下において被記録媒体を逆搬送する構成の画像記録装置であれば、本発明を採用することは可能であり、極めて有効である。
【図面の簡単な説明】
【０１２８】
【図１】画像記録装置の全体斜視図である。
【図２】上部ケースを除き、本体ケースを後方から見た斜視図である。
【図３】図２の上面図である。
【図４】記録部ユニットに給紙カセットを装着した状態の要部側断面図である。
【図５】画像記録部のみの要部拡大側断面図である。
【図６】給紙カセット及び給紙ユニットの側面図である。
【図７】記録部ユニットに給紙カセットを装着した状態の一部切欠き平面図である。
【図８】下流側のガイドプレート及びプラテンを除いた状態の記録部ユニットの斜視  図である。
【図９】記録部ユニットの側面図である。
【図１０】動力伝達切換え手段の模式図である。
【図１１】（ａ）は動力伝達切換え手段による各モードへの切換え状態を示す正面図（ｂ）は平面図である。
【図１２】（ａ）は間欠的給紙モード（第１モード）での給紙状態における動力伝達を示す図、（ｂ）は画像記録時の動力伝達を示す図である。
【図１３】（ａ）は連続的給紙モード（第２モード）での給紙状態における動力伝達を示す図、（ｂ）は画像記録時の動力伝達を示す図、（ｃ）は後続する用紙Ｐの給紙時の動力伝達を示す図である。
【図１４】（ａ）は連続的給紙モード（第２モード）での用紙戻し処理の第１実施形態を示す図、（ｂ）は第２実施形態を示す図である。
【図１５】給紙トレイの模式図である。
【図１６】給紙トレイに載置された用紙の状態の示す図である。
【図１７】突起部の効果を示す図である。
【図１８】制御装置の機能ブロック図である。
【図１９】画像記録の制御のフローチャートである。
【図２０】連続給紙動作時における用紙戻し制御のフローチャートである。
【図２１】本発明の第２実施形態を示す図である。
【図２２】本発明の第２実施形態を示す図である。
【図２３】本発明の第３実施形態を示す図である。
【図２４】本発明の第４実施形態を示す図である。
【図２５】本発明の第４実施形態を示す図である。
【図２６】本発明の第４実施形態を示す図である。
【図２７】本発明の第４実施形態を示す図である。
【図２８】本発明の第５実施形態を示す図である。
【図２９】本発明の第５実施形態を示す図である。
【図３０】本発明の第５実施形態を示す図である。
【図３１】本発明の第５実施形態を示す図である。
【符号の説明】
【０１２９】
１…画像記録装置、２…本体ケーシング、２ａ…開口部、
３…上部ケース、５…給紙トレイ、５ａ…壁面、５ｂ…リヤガイド、５ｃ…突起部、
６…給送ユニット、６ａ…給紙アーム、７…給紙ローラ、８…分離傾斜面、
９…搬送路、１０…記録部ユニット、１１…プラテン、１２…記録ヘッド、
１３…キャリッジ、１３ａ…第１係合段部、１３ｂ…第２係合段部、１４…駆動軸、
１７…レジセンサ、２０…レジストローラ、２０ａ…駆動ローラ、
２０ｂ…従動ローラ、２１…排紙ローラ、２１ａ…駆動ローラ、
２１ａ…排紙ローラ、２４…ＣＲモータ、２５…タイミングベルト、
２６…インクカートリッジ、２７…収容部、２８…インクチューブ、
３０…操作パネル、３０ａ…キーボード、３１…ディスプレイ部、
３３…スキャナ装置、３４…カバー体、３５…インク受け部、
３６…メンテナンス部、３６ａ…キャップ部、３７…リニアエンコーダ、
３８…バネ、３９…フレーム、３９ａ…本体部、３９ｂ…側板、
４０…ガイドプレート、４１…ガイドプレート、４２…ＬＦモータ、
４３…歯車伝動機構、４３ａ…ピニオン、４３ｂ…減速ギヤ、４３ｂ…伝動ギヤ、
４３ｃ…中間ギヤ、４３ｄ…伝動ギヤ、４４…ロータリエンコーダ、
５０…歯車伝動機構、１００…動力伝達切換機構、
１０１…駆動ギヤ、１０２…切換えギヤ、１０３…支軸、１０４…第１ブロック、
１０４ａ…当接片、１０５…第２ブロック、１０６ａ…第１付勢バネ、
１０７…ガイドブロック、１０９…ガイド溝、１０９ａ…直線溝部、
１０９ｂ…環状溝部、１１０…規制片、１１１…第１セット部、
１１２…第２セット部、１１３…間欠給紙伝動ギヤ、１１３…給紙側ギヤ、
１１４…連続給紙伝動ギヤ、１１４ａ…当接片、１１５…メンテナンス用伝動ギヤ、
１１５ａ…傘歯車、１１６…用紙検出体、１１７…レジセンサ、
１１８…リーフスイッチ、１１９ａ…中間ギヤ、１１９ａ…中間歯車、
１２０…中間ギヤ、１２０…中間歯車、３０５…バス、３１１…駆動回路、
３１２…駆動回路、３１３…パネルインターフェース、３１４…駆動回路、
３１５…パラレルインターフェース。
【図１】
2007119233.tif 000003
【図２】
2007119233.tif 000004
【図３】
2007119233.tif 000005
【図４】
2007119233.tif 000006
【図５】
2007119233.tif 000007
【図６】
2007119233.tif 000008
【図７】
2007119233.tif 000009
【図８】
2007119233.tif 000010
【図９】
2007119233.tif 000011
【図１０】
2007119233.tif 000012
【図１１】
2007119233.tif 000013
【図１２】
2007119233.tif 000014
【図１３】
2007119233.tif 000015
【図１４】
2007119233.tif 000016
【図１５】
2007119233.tif 000017
【図１６】
2007119233.tif 000018
【図１７】
2007119233.tif 000019
【図１８】
2007119233.tif 000020
【図１９】
2007119233.tif 000021
【図２０】
2007119233.tif 000022
【図２１】
2007119233.tif 000023
【図２２】
2007119233.tif 000024
【図２３】
2007119233.tif 000025
【図２４】
2007119233.tif 000026
【図２５】
2007119233.tif 000027
【図２６】
2007119233.tif 000028
【図２７】
2007119233.tif 000029
【図２８】
2007119233.tif 000030
【図２９】
2007119233.tif 000031
【図３０】
2007119233.tif 000032
【図３１】
2007119233.tif 000033